(57)【要約】      （修正有）【課題】メガネや鏡などの小物を収納することができる携帯電話ケースを提供する。【解決手段】道具付きの携帯電話ケースは、ケース本体１及びメガネ２を有し、ケース本体の一側に収容空間が形成され、メガネが摺動部材３によりスライド自在にケース本体の収容空間と反対する側に取り付けられる。ケース本体は、携帯電話収納ケース及び道具収納ケースを備え、収容空間は携帯電話収納ケースに形成され、道具収納ケースは携帯電話収納ケースの収容空間と反対する側に取り付けられ、メガネ等の道具が選択可能に道具収納ケースの収納空間に収納され、摺動部材はスライドボタンを備えることが好ましい。【選択図】図１
0003189041.tif 000002
【実用新案登録請求の範囲】
【請求項１】
一側に収容空間が形成されるケース本体と、
摺動部材によりスライド自在にケース本体における収容空間と反対する側に取り付けられる道具とを有することを特徴とする道具付きの携帯電話ケース。
【請求項２】
前記ケース本体は、携帯電話収納ケース及び道具収納ケースを備え、前記収容空間が該携帯電話収納ケースに形成され、該道具収納ケースが携帯電話収納ケースにおける収容空間と反対する側に取り付けられ、
前記道具が選択可能に道具収納ケースの収納空間に収納され、
前記摺動部材がスライドボタンを備えることを特徴とする請求項１に記載の道具付きの携帯電話ケース。
【請求項３】
前記道具収納ケースは、携帯電話収納ケースの他側に接着される底板と、該接着板に対向する上板と、該接着板の周縁及び該上板の周縁を接着する周縁部と、該接着板、該上板、該周縁部の間に形成される収納空間と、該周縁部の一側の壁に形成される入り口とを備えることを特徴とする請求項２に記載の道具付きの携帯電話ケース。
【請求項４】
前記接着板の内壁にレールが上板に向かうように凸設され、
前記接着板の内壁における四つの隅角近傍に２対の係合ポストがそれぞれ相対して上板に向かうように凸設され、
前記上板におけるレールに対応する箇所に摺動溝が形成されることを特徴とする請求項３に記載の道具付きの携帯電話ケース。
【請求項５】
前記接着板及び上板における携帯電話のカメラに対応する箇所にそれぞれカメラ穴が形成されることを特徴とする請求項３に記載の道具付きの携帯電話ケース。
【請求項６】
前記道具が選択可能に道具収納ケースの接着板の内面に接触するように道具収納ケースの収納空間に設置され、
さらに、該道具は、メガネであり、鼻収容穴と、２つのレンズフレーム、スライド溝と、組立孔とを備え、該レンズフレームの内部にレンズが取り付けられ、該スライド溝は、道具収納ケースの接着板に向かう面に形成され、レールに組み合わせられ、該組立孔は、道具収納ケースの上板の摺動溝に対応するように、スライド溝の反対する面に形成されることを特徴とする請求項４に記載の道具付きの携帯電話ケース。
【請求項７】
前記道具が選択可能に道具収納ケースの接着板の内面に接触するように道具収納ケースの収納空間に設置され、
さらに、該道具は、鏡部材であり、装着フレームと、鏡と、スライド溝と、組立孔とを備え、該鏡は、装着フレームに嵌め込まれ、該スライド溝は、道具収納ケースの接着板に向かう面に形成され、レールに組み合わせられ、該組立孔は、道具収納ケースの上板の摺動溝に対応するように、スライド溝の反対する面に形成されることを特徴とする請求項４に記載の道具付きの携帯電話ケース。
【請求項８】
前記道具がスライド溝を介して摺動可能にレールに組み合わせられることを特徴とする請求項６または７に記載の道具付きの携帯電話ケース。
【請求項９】
前記道具の両側にそれぞれ掛け足を延設され、該掛け足の末端に位置決め部が設けられ、該位置決め部がそれぞれ着脱可能に同じの側の相対する１対の係合ポストに係合されることを特徴とする請求項８に記載の道具付きの携帯電話ケース。
【請求項１０】
前記スライドボタンが上板の摺動溝を通って道具の組立孔に嵌合されることを特徴とする請求項６または７に記載の道具付きの携帯電話ケース。
【請求項１１】
前記道具収納ケースの外側面に支持部材が収納可能に枢設されることを特徴とする請求項７に記載の道具付きの携帯電話ケース。
【考案の詳細な説明】
【技術分野】
【０００１】
本考案は、特にメガネや鏡などの小物を収納することができる携帯電話ケースに関するものである。
【背景技術】
【０００２】
現在、通信技術の発達に伴って、生活上に携帯電話の必要性が高まり、若者だけではなく、年取る人にもよく携帯電話を使用する。特に、この数年間で、携帯電話機の開発が進んでおり、携帯電話機を使用している人が急増し、携帯電話機を使用する時間も昔よりかなり長くなり、使用上の利便性を有するが、目に悪影響もあり、携帯電話機が原因で近視や老眼などの症状も増えて来る。これらの近視や老眼などの症状が悪化しないために、携帯電話機の使用時間を減少するだけではなく、メガネを正しくかけることも重要である。
【考案の概要】
【考案が解決しようとする課題】
【０００３】
しかしながら、軽度の近視や老眼であれば、長時間でメガネをかけることが要らないが、携帯電話や携帯電話機などを使用する時には、ガネを使わないと、モニタが小さくて字をはっきり見られなくなり、通常にメガネをかける習慣がなかったら、メガネを忘れてしまう場合がよくある。
【課題を解決するための手段】
【０００４】
本考案は、上述した欠点を解決するために、道具付きの携帯電話ケースを開発した。この道具付きの携帯電話ケースは、一側に収容空間が形成されるケース本体と、摺動部材によりスライド自在にケース本体における収容空間と反対する側に取り付けられる道具とを有するものである。
【０００５】
かかる道具付きの携帯電話ケースにおいて、
前記ケース本体は、携帯電話収納ケース及び道具収納ケースを備え、前記収容空間が該携帯電話収納ケースに形成され、該道具収納ケースが携帯電話収納ケースにおける収容空間と反対する側に取り付けられ、
前記道具が選択可能に道具収納ケースの収納空間に収納され、
前記摺動部材がスライドボタンを備えることが好ましい。
【０００６】
かかる道具付きの携帯電話ケースにおいて、
前記道具収納ケースは、携帯電話収納ケースの他側に接着される底板と、該接着板に対向する上板と、該接着板の周縁及び該上板の周縁を接着する周縁部と、該接着板、該上板、該周縁部の間に形成される収納空間と、該周縁部の一側の壁に形成される入り口とを備えることが好ましい。
【０００７】
かかる道具付きの携帯電話ケースにおいて、
前記接着板の内壁にレールが上板に向かうように凸設され、
前記接着板の内壁における四つの隅角近傍に２対の係合ポストがそれぞれ相対して上板に向かうように凸設され、
前記上板におけるレールに対応する箇所に摺動溝が形成されることが好ましい。
【０００８】
かかる道具付きの携帯電話ケースにおいて、
前記接着板及び上板における携帯電話のカメラに対応する箇所にそれぞれカメラ穴が形成されることが好ましい。
【０００９】
かかる道具付きの携帯電話ケースにおいて、
前記道具が選択可能に道具収納ケースの接着板の内面に接触するように道具収納ケースの収納空間に設置され、
さらに、該道具は、メガネであり、鼻収容穴と、２つのレンズフレーム、スライド溝と、組立孔とを備え、該レンズフレームの内部にレンズが取り付けられ、該スライド溝は、道具収納ケースの接着板に向かう面に形成され、レールに組み合わせられ、該組立孔は、道具収納ケースの上板の摺動溝に対応するように、スライド溝の反対する面に形成されてもよい。
【００１０】
かかる道具付きの携帯電話ケースにおいて、
前記道具が選択可能に道具収納ケースの接着板の内面に接触するように道具収納ケースの収納空間に設置され、
さらに、該道具は、鏡部材であり、装着フレームと、鏡と、スライド溝と、組立孔とを備え、該鏡は、装着フレームに嵌め込まれ、該スライド溝は、道具収納ケースの接着板に向かう面に形成され、レールに組み合わせられ、該組立孔は、道具収納ケースの上板の摺動溝に対応するように、スライド溝の反対する面に形成されてもよい。
【００１１】
かかる道具付きの携帯電話ケースにおいて、
前記道具がスライド溝を介して摺動可能にレールに組み合わせられることが好ましい。
【００１２】
かかる道具付きの携帯電話ケースにおいて、
前記道具の両側にそれぞれ掛け足を延設され、該掛け足の末端に位置決め部が設けられ、該位置決め部がそれぞれ着脱可能に同じの側の相対する１対の係合ポストに係合されることが好ましい。
【００１３】
かかる道具付きの携帯電話ケースにおいて、
前記スライドボタンが上板の摺動溝を通って道具の組立孔に嵌合されることが好ましい。
【００１４】
かかる道具付きの携帯電話ケースにおいて、
前記道具収納ケースの外側面に支持部材が収納可能に枢設されることが好ましい。
【考案の効果】
【００１５】
本考案に係る道具付きの携帯電話ケースを使用する時に、メガネや鏡部材などの道具が摺動部材によりケース本体にスライド自在に設置されることから、この摺動部材をタッチしながらスライドすると、メガネや鏡などの道具をケース本体から引き出したり、収納したりすることができ、使いやすくなる。また、そのメガネでは、使用者の需要に応じてレンズフレーム上のレンズを自由に変換することができ、近視や、遠視、老眼などのレンズまたは度数が異なるレンズを変換してもよく、実用性が高まる。
【図面の簡単な説明】
【００１６】
【図１】本考案に係る道具付きの携帯電話ケースの第一実施例における斜視図である。
【図２】本考案に係る道具付きの携帯電話ケースの第一実施例における部分透視分解図である。
【図３Ａ】本考案に係る道具付きの携帯電話ケースの第一実施例において、メガネを引き出した状態を示す断面図である。
【図３Ｂ】本考案に係る道具付きの携帯電話ケースの第一実施例において、メガネを収納した状態を示す断面図である。
【図４】本考案に係る道具付きの携帯電話ケースの第一実施例において、レンズを変換可能な状態を示す部分透視斜視図である。
【図５】本考案に係る道具付きの携帯電話ケースの第二実施例における斜視図である。
【図６】本考案に係る道具付きの携帯電話ケースの第二実施例における部分透視斜視図である。
【図７】本考案に係る道具付きの携帯電話ケースの第二実施例において、支持部材を使用した状態を示す側視図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１に示すように、本考案に係る道具付きの携帯電話ケースは、ケース本体１及び道具を備え、該ケース本体１の一側に収容空間１１が形成され、該収容空間１１に携帯電話を収容することができ、該道具が摺動部材３によりスライド自在にケース本体１における収容空間１１と反対する側に取り付けられる。その道具は、メガネや鏡などの小物にすることが好ましい。以下の実施例においては、メガネ及び鏡を例として説明する。
【００１９】
図２に示すように、本考案に係る道具付きの携帯電話ケースの第一実施例は、ケース本体１と、メガネ２と、摺動部材３とを備え、ケース本体１は、携帯電話収納ケース１２及び道具収納ケース１３を有し、且つ、前記収容空間１１が携帯電話収納ケース１２の内部に形成され、該道具収納ケース１３が携帯電話収納ケース１２の収容空間１１と反対する側に取り付けられる。
【００２０】
前記道具収納ケース１３は、底板１３１と、上板１３２と、周縁部１３３と、収納空間１３４とを備え、その内、該接着板１３１は、収容空間１１をカバーするように携帯電話収納ケース１２の一側に接着され、該上板１３２は、間隔をおいて該接着板１３１に対向するように設置され、該周縁部１３３は、接着板１３１の周縁と上板１３２の周縁とを接着するように設けられ、一側の壁に道具収納ケース１３の長手方向に沿って入り口１３３ａが形成され、該収納空間１３４は、接着板１３１と、上板１３２と、周縁部１３３との間に形成され、前記メガネ２が入り口１３３ａを通って収納空間１３４に収納することができる。
【００２１】
また、前記接着板１３１の内壁にレール１３１ａが道具収納ケース１３の短手方向に沿って上板１３２に向かうように凸設され、該接着板１３１の内壁における道具収納ケース１３の四つの隅角近傍に２対の係合ポスト１３１ｂがそれぞれ相対して上板１３２に向かうように凸設される。前記上板１３２におけるレール１３１ａに対応する箇所に細長状の摺動溝１３２ａが形成される。
【００２２】
さらに、前記接着板１３１における携帯電話のカメラに対応する箇所にカメラ穴１３１ｃが形成され、前記上板１３２における携帯電話のカメラに対応する箇所にもカメラ穴１３２ｂが形成される。この構造を有すれば、携帯電話にケースを付けても携帯電話のカメラがカメラ穴を通って撮影することができ、邪魔にならないように携帯電話のカメラを正常に使用し、また、使用者がメガネを使用する時にも、カメラのフラッシュを照明として使用できる。
【００２３】
前記メガネ２は、選択可能に道具収納ケース１３の収納空間１３４に設置され、即ち、スライド自在に道具収納ケース１３の収納空間１３４に設置され、入り口１３３ａを通って収納空間１３４に収納したり、引き出したりすることができ、また、メガネ２を収納空間１３４に収納する場合には、メガネ２が道具収納ケース１３の接着板１３１の内面に接触するように設置される。
【００２４】
また、該メガネ２は、平坦な薄型プレート状を呈し、鼻収容穴２１と、２つのレンズフレーム２２、スライド溝２３と、組立孔２４とを備え、該鼻収容穴２１は、鼻の形に対応するように、プレートの中間に形成され、該レンズフレーム２２は、鼻収容穴２１の両側に設けられ、内部にレンズ２２１が取り付けられ、該スライド溝２３は、プレートの中間底面、即ち、道具収納ケース１３の接着板１３１に向かう面に形成され、摺動可能にレール１３１ａに組み合わせられ、該組立孔２４は、道具収納ケース１３の上板１３２の摺動溝１３２ａに対応するように、プレートの中間上面、即ち、スライド溝２３の反対する面に形成される。さらに、前記メガネ２は、両側にそれぞれ掛け足を延出し、該掛け足の末端に位置決め部２５が設けられ、該位置決め部２５は、着脱可能に同じの側の相対する２つの係合ポスト１３１ｂに係合される。
【００２５】
前記摺動部材３は、スライドボタン３１を備え、該スライドボタン３１が道具収納ケース１３の摺動溝１３２ａを通ってメガネ２の組立孔２４に嵌合される。使用者がスライドボタン３１を摺動溝１３２ａに沿って摺動させてもその範囲内に移動するので、メガネ２を入り口１３３ａを通って道具収納ケース１３から脱出することはない。
【００２６】
図２、図３Ａ及び図３Ｂに示すように、本考案に係る道具付きの携帯電話ケースを使用する時、使用者がスライドボタン３１をタッチしながら摺動溝１３２ａに沿って摺動し、メガネ２をレール１３１ａに沿って摺動させて入り口１３３ａを通って収納空間１３４に収納したり、引き出したりすることができる。一方、メガネ２が収納空間１３４に収納する時に、掛け足の位置決め部２５がそれぞれ接着板１３１の内側の相対する２つの係合ポスト１３１ｂに係合し、メガネ２を安定に位置決めることができ、他方、メガネ２が収納空間１３４から引き出す時には、掛け足の位置決め部２５がそれぞれ接着板１３１の外側の相対する２本の係合ポスト１３１ｂに係合し、メガネ２を安定に位置決めることができる。
【００２７】
図４に示すように、本考案に係る道具付きの携帯電話ケースにおいて、メガネ２をレール１３１ａに沿って摺動させて入り口１３３ａを通って収納空間１３４から引き出す場合に、掛け足の位置決め部２５がそれぞれ接着板１３１の外側の相対する２本の係合ポスト１３１ｂに係合すると、レンズフレーム２２上のレンズ２２１を変換することができ、使用者の需要に応じて、近視や、遠視、老眼などのレンズまたはレンズの度数を自由に変換することができる。
【００２８】
図５及び図６に示すように、本考案に係る道具付きの携帯電話ケースにおける第二実施例は、殆ど第一実施例と同一であるが、その道具を鏡部材４にする点において異なる。本実施例は、ケース本体１と、鏡部材４と、摺動部材３を備えるが、このケース本体１及び摺動部材３が第一実施例と同一であるので、ここでの説明を省略する。この鏡部材４が摺動部材３によりスライド自在にケース本体１における収納空間１３４に収納される。
【００２９】
前記鏡部材４は、平坦な薄型プレート状を呈し、装着フレーム４１と、鏡４２と、スライド溝４３と、組立孔４４とを備え、該装着フレーム４１は、薄型プレートの一側に設けられ、該鏡４２は、装着フレーム４１の一面に嵌め込まれ、該スライド溝４３は、プレートの他側の中間底面に形成され、摺動可能にレール１３１ａに組み合わせられ、該組立孔４４は、プレートの他側の中間上面に形成され、摺動部材３のスライドボタン３１が該組立孔４４に嵌合される。また、該鏡部材４は、他側の両端にそれぞれ掛け足を延出し、該掛け足の末端に位置決め部４５が設けられ、該位置決め部４５は、着脱可能に同じの側の相対する２つの係合ポスト１３１ｂに係合される。
【００３０】
図５及び図７に示すように、第二実施例におけるケース本体１は、さらに支持部材１４を備えてもよく、該支持部材１４は、収納可能に道具収納ケース１３の外側面に取り付けられる。この支持部材１４は、道具収納ケース１３の外側面にＵ字形の嵌合溝１４０が凹設され、該嵌合溝１４０にＵ字形の支持脚１４１が枢設される。使用する時、該支持脚１４１を嵌合溝１４０から外側へ回転して道具収納ケース１３との間に所定の角度を維持すると、支持部材１４によりケース本体１及び携帯電話を斜めに支えることができる（図７の如く）。なお、鏡部材４を使用する場合には、この支持部材１４により鏡部材４を使いやすい角度に保持することができるので、使用上、非常に便利である。
【符号の説明】
【００３１】
１ ケース本体
１１ 収容空間
１２ 携帯電話収納ケース
１３ 道具収納ケース
１３１ 底板
１３１ａ レール
１３１ｂ カメラ穴
１３１ｃ 係合ポスト
１３２ 上板
１３２ａ 摺動溝
１３２ｂ カメラ穴
１３３ 周縁部
１３３ａ 入り口
１３４ 収納空間
１４ 支持部材
１４０ 嵌合溝
１４１ 支持脚
２ メガネ
２１ 鼻収容穴
２２ レンズフレーム
２２１ レンズ
２３ スライド溝
２４ 組立孔
２５ 位置決め部
３ 摺動部材
３１ スライドボタン
４ 鏡部材
４１ 装着フレーム
４２ 鏡
４３ スライド溝
４５ 位置決め部
【図１】
0003189041.tif 000003
【図２】
0003189041.tif 000004
【図３Ａ】
0003189041.tif 000005
【図３Ｂ】
0003189041.tif 000006
【図４】
0003189041.tif 000007
【図５】
0003189041.tif 000008
【図６】
0003189041.tif 000009
【図７】
0003189041.tif 000010